(57)【要約】【課題】本発明の目的は、設置の自由度がより高く、かつ収納がより簡単なスピーカを提供することにある。【解決手段】スピーカ１０は、静電スピーカユニット１の主面に接着される吸音スポンジ２を備えている。スピーカ１０は、吸音スポンジ２が静電スピーカユニット１の平坦な形状を保持するため、吊り下げ設置に限らず、例えば壁設置及び床への載置、等の多様な設置が可能である。また、利用者は、スピーカ１０が人手で曲げることが可能なため、スピーカ１０を例えば折りたたんで収納したり、巻き取るように収納したりすることもできる。以上のように、本実施形態に係るスピーカ１０は、吸音スポンジ２が静電スピーカユニット１と一体に弾性変形するため、設置の自由度がより高く、かつ収納がより簡単である。【選択図】図５
2015198383.tif 000002
【特許請求の範囲】
【請求項１】
静電スピーカユニットと、
前記静電スピーカユニットの所定の形状を保持する形状保持部材と、
を備え、
前記形状保持部材は、
前記静電スピーカユニットと一体に弾性変形し、
外力がない状態で前記所定の形状に復帰する、
スピーカ。
【請求項２】
前記静電スピーカユニットの主面の外周辺のいずれか一辺に沿った軸部を備え、
前記形状保持部材は、一端が前記軸部に固定される、
請求項１に記載のスピーカ。
【請求項３】
前記軸部は、電気回路モジュールを内蔵する中空部を有する、
請求項２に記載のスピーカ。
【請求項４】
前記形状保持部材の前記一端と反対側の他端に配置される第１接着部と、
前記軸部に配置される第２接着部と、
を備える請求項２又は請求項３に記載のスピーカ。
【請求項５】
前記形状保持部材は、前記静電スピーカユニットの主面に当接する吸音材である、
請求項１乃至請求項４のいずれかに記載のスピーカ。
【請求項６】
前記形状保持部材の前記静電スピーカユニットと反対側の主面に当接し、かつ弾性変形する遮音材を備える、
請求項５に記載のスピーカ。
【発明の詳細な説明】
【技術分野】
【０００１】
本発明は、入力された音声信号に基づいて放音するスピーカに関する。
【背景技術】
【０００２】
従来、ダイナミック型スピーカに比べて、薄型かつ軽量であるシート形状のスピーカが知られている。シート形状のスピーカは、薄型かつ軽量であるため、ダイナミック型スピーカに比べて設置の自由度が高く、かつ収納も簡単である。
【０００３】
例えば、特許文献１に示すフィルム状スピーカ（圧電スピーカ）は、スクリーン部に圧電スピーカユニットが接着されてなり、吊り下げ枠によって圧電スピーカユニットが吊り下げられた状態で使用される。特許文献１に示す圧電スピーカは、不使用時は、圧電スピーカユニットが巻き取り枠に巻き取られることにより収納される。
【先行技術文献】
【特許文献】
【０００４】
【特許文献１】実開平０５−４５６８９号公報
【発明の概要】
【発明が解決しようとする課題】
【０００５】
しかしながら、特許文献１に示す圧電スピーカは、スクリーン部及び圧電スピーカユニットが形状を維持するために必要な剛性を有さないため、吊り下げ設置のみが可能であり、その他の態様の設置（例えば床への載置）が不可能である。
【０００６】
また、特許文献１に示す圧電スピーカは、巻かれた形状のみで収納が可能であり、その他の形状（例えば折りたたんだ形状）での収納が不可能である。
【０００７】
そこで、本発明の目的は、設置の自由度がより高く、かつ収納がより簡単なスピーカを提供することにある。
【課題を解決するための手段】
【０００８】
本発明のスピーカは、静電スピーカユニットと、前記静電スピーカユニットの所定の形状を保持する形状保持部材と、を備える。そして、前記形状保持部材は、前記静電スピーカユニットと一体に弾性変形し、外力がない状態で前記所定の形状に復帰することを特徴とする。
【０００９】
静電スピーカユニットの所定の形状とは、例えば平面形状である。そして、静電スピーカユニットは、外力が加わると、形状保持部材と一体に平面形状が曲げられた形状に変形する。その後、形状保持部材は、外力がなくなると、弾力（応力ともいう）によって、静電スピーカユニットと一体に平面形状に復帰する。
【００１０】
本発明のスピーカは、形状保持部材が静電スピーカユニットの所定の形状を保持するため、吊り下げ設置に限らず、例えば壁設置及び床への載置、等の多様な設置が可能である。また、利用者は、本発明のスピーカを、例えば折りたたんで収納したり、巻き取るように収納したりすることもできる。以上のように、本発明のスピーカは、形状保持部材が静電スピーカユニットと一体に弾性変形するため、設置の自由度がより高く、かつ収納がより簡単である。
【００１１】
また、前記静電スピーカユニットの主面の外周辺のいずれか一辺に沿った軸部を備え、前記形状保持部材は、一端が前記軸部に固定される態様であっても構わない。
【００１２】
この態様では、利用者は、軸部を中心に形状保持部材及び静電スピーカユニットを巻き取り収納する。スピーカの巻き取り収納は、軸部が備えられることにより、より簡単になる。
【００１３】
また、前記軸部は、電気回路モジュールを内蔵する中空部を有してもよい。電気回路モジュールは、例えば、外部装置からの音声信号を無線通信で受信する無線受信部の機能を実現する。これにより、スピーカは、電気回路モジュール及び音声信号のための配線が外部に露出することがなくなる。
【００１４】
また、スピーカは、前記形状保持部材の前記一端と反対側の他端に配置される第１接着部と、前記軸部に配置される第２接着部と、を備えてもよい。
【００１５】
第１接着部は、軸部に巻き付けられたときの形状保持部材の形状を維持するために、例えば形状保持部材の外側の面に接着される。軸部の第２接着部は、例えば、椅子、机、及び壁、等に接着される。これにより、スピーカの設置の自由度は、より高くなる。なお、第２接着部の接着は、糊、及びテープ等で実現される。
【００１６】
また、前記形状保持部材は、前記静電スピーカユニットの主面に当接する吸音材であることが望ましい。形状保持部材は、厚手の不織布（工業繊維又は動物の毛からなる布）であっても構わないが、発泡プラスチック（例えばポリウレタンフォーム）からなることが望ましい。発泡プラスチックは、吸音率が高く、加工性がよく、例えば、厚みが均一な板形状に加工でき、かつ低コストである。さらに、発泡プラスチックは、形状復帰しやすく、かつ変形するための外力が適度である弾性を有する点においても優れる。
【００１７】
さらに、前記形状保持部材の前記静電スピーカユニットと反対側の主面に当接し、かつ弾性変形する遮音材を備えてもよい。このように構成することで、スピーカの音が外側（静電スピーカユニットに対して形状保持部材側）に漏れにくくなる。
【発明の効果】
【００１８】
本発明のスピーカは、形状保持部材が静電スピーカユニットと一体に弾性変形するため、設置の自由度がより高く、かつ収納がより簡単である。
【図面の簡単な説明】
【００１９】
【図１】実施形態１に係るスピーカ装置１００の外観斜視図である。
【図２】（Ａ）は、スピーカ１０のＡ−Ａ断面図であり、（Ｂ）は、スピーカ１０の上面図である。
【図３】スピーカ装置１００の構成の一部を示すブロック図である。
【図４】スピーカ１０の弾性変形の例を示す側面図である。
【図５】スピーカ１０の弾性変形の例を示す側面の斜投影図である。
【図６】スピーカ１０の変形例１に係るスピーカ１０Ａの側面の斜投影図である。
【図７】実施形態２に係るスピーカ装置１００Ｂの外観斜視図である。
【図８】スピーカ１０ＢのＢ−Ｂ断面図である。
【図９】スピーカ装置１００Ｂの構成の一部を示すブロック図である。
【図１０】（Ａ）は、スピーカ１０Ｂの変形例１に係るスピーカ１０Ｃの外観斜視図であり、（Ｂ）は、スピーカ１０Ｂの設置例を示す図である。
【図１１】スピーカ１０Ｂの変形例２に係るスピーカ１０Ｄの側面断面図である。
【図１２】（Ａ）は、実施形態３に係るスピーカ１０Ｅの上面図であり、（Ｂ）は、スピーカ１０Ｅの変形例に係るスピーカ１０Ｆの側面断面図である。
【発明を実施するための形態】
【００２０】
実施形態１に係るスピーカ装置１００について、図１乃至図５を用いて説明する。図１は、スピーカ装置１００の外観斜視図である。図２（Ａ）は、スピーカ１０のＡ−Ａ断面図であり、図２（Ｂ）は、スピーカ１０の上面図である。図３は、スピーカ装置１００の構成の一部を示すブロック図である。図４は、スピーカ１０の弾性変形の例を示す側面図である。図５は、スピーカ１０の弾性変形の例を示す側面の斜投影図である。なお、図２（Ｂ）及び図４において、カバー３の図示は省略している。また、図３において点線は、電源供給経路を示している。
【００２１】
スピーカ装置１００では、スピーカ１０は、スピーカケーブル２００を介してアンプ２０に接続されている。スピーカ１０は、アンプ２０が出力する音声信号に基づいて、放音するものである。
【００２２】
スピーカ１０は、図１に示すように、薄型の板形状であり、幅方向及び奥行方向の長さに比べて厚み方向の長さが短い。スピーカ１０は、厚みが例えば２０ｍｍである。スピーカ１０は、厚み方向の面が例えば矩形状である。以下、図１において、スピーカ１０の厚み方向の面を上面とし、厚み方向と反対方向の面を下面とする。
【００２３】
スピーカ１０は、図２（Ａ）及び図２（Ｂ）に示すように、静電スピーカユニット１、吸音スポンジ２、及びカバー３を備えている。吸音スポンジ２及び静電スピーカユニット１は、厚み方向に順に積層されている。カバー３は、絶縁性のフィルム材料からなり、吸音スポンジ２及び静電スピーカユニット１の積層体を覆っている。なお、図２（Ａ）及び図２（Ｂ）において図示しないが、スピーカケーブル２００は、静電スピーカユニット１に接続されている。
【００２４】
吸音スポンジ２は、図２（Ａ）及び図２（Ｂ）に示すように、薄型の板形状である。吸音スポンジ２は、厚みが例えば１５ｍｍである。吸音スポンジ２は、上面（スピーカ１０の厚み方向にある面）がスピーカ１０の上面と略同じ形状である。
【００２５】
吸音スポンジ２は、ポリウレタンフォームからなる。吸音スポンジ２は、利用者の手からの外力によって弾性変形する。より具体的には、吸音スポンジ２は、外力がかかると、例えば曲げられた形状となる。そして、吸音スポンジ２は、外力がなくなると、形状が平坦な板形状に復帰する。また、吸音スポンジ２を構成するポリウレタンフォームは、軽量かつ吸音率が比較的高いものである。
【００２６】
吸音スポンジ２は、上面で静電スピーカユニット１の下面（スピーカ１０の厚み方向と反対方向にある面）に接着されている。吸音スポンジ２は、上面が静電スピーカユニット１の下面に接着されることにより、静電スピーカユニット１と一体となり、静電スピーカユニット１の平坦な形状を保持している。静電スピーカユニット１は、図２（Ｂ）に示すように、上面が吸音スポンジ２の上面より小さい。
【００２７】
ただし、静電スピーカユニット１は、平面視して上面と同じ大きさの平面波を上面法線方向に出力するため、平面形状が吸音スポンジ２の上面と同じ形状であってもかまわない。また、静電スピーカユニット１の下面全面を吸音スポンジ２の上面に接着する必要はなく、静電スピーカユニット１の下面の一部（例えば下面の縁）が吸音スポンジ２の上面に接着されているだけであっても構わない。また、スピーカ１０は、接着に限らず、静電スピーカユニット１及び吸音スポンジ２を縁で挟み込んで固定して一体とする構成であってもよい。
【００２８】
静電スピーカユニット１は、図２（Ａ）及び図２（Ｂ）に示すように、シート形状であり、薄型かつ軽量である。静電スピーカユニット１の厚みは例えば２ｍｍである。静電スピーカユニット１は、電極１Ａ及び電極１Ｂ（図３を参照。）で平膜状の振動板１Ｃを挟む構造である。静電スピーカユニット１は、電極１Ａ及び電極１Ｂに互いに極性が反転する交流電圧が印加されると、発生した電界によって振動板１Ｃが主面の法線方向に沿って振動することにより、音を出力する。この音は、平面波としてスピーカ１０の上面の法線方向に沿って進行する。すなわち、スピーカ１０は、図１の白抜き矢印に示すように、厚み方向に音を出力する。なお、厚み方向と反対方向に出力される音は、吸音スポンジ２によって吸音されるため、スピーカ１０の下面から外部に漏れにくい。
【００２９】
アンプ２０は、図３に示すように、入力部２１、変換部２２、増幅部２３、及び電源供給部２４を備えている。
【００３０】
入力部２１は、外部装置（例えばオーディオプレーヤ等）からコンテンツデータが入力されるインターフェースである。例えば、入力部２１は、Ｂｌｕｅｔｈｏｏｔｈ（登録商標）インターフェースであり、このＢｌｕｅｔｈｏｏｔｈインターフェースを介してオーディオプレーヤからコンテンツデータが入力される。
【００３１】
変換部２２は、入力部２１に入力されたコンテンツデータをアナログの音声信号に変換する。変換された音声信号は、増幅部２３に出力される。増幅部２３は、入力された音声信号を増幅し、例えば電圧の振幅値を数百Ｖまで大きくする。増幅部２３によって振幅値が大きくされた音声信号は、交流電圧として電極１Ａ及び電極１Ｂに印加される。振動板１Ｃには、増幅部２３から直流バイアスが印加される。電源供給部２４は、各機能部に電源を供給して動作させる。
【００３２】
次に、スピーカ１０の弾性変形の例について図４を用いて説明する。上述のように、吸音スポンジ２は、弾性変形する薄型の板形状である。また、静電スピーカユニット１及びカバー３は、それぞれ厚みが極薄い。従って、利用者は、スピーカ１０を例えば手で曲げることが可能である。
【００３３】
図４に示すように、スピーカ１０は、例えば外力によって幅方向の両端部が近づけられるように折り曲げられると、当該両端部において図中白抜き矢印Ｓ９００に示す曲げ応力（弾力ともいう。）が発生する。この曲げ応力は、吸音スポンジ２に発生する。吸音スポンジ２は、外力がなくなると、この曲げ応力によって静電スピーカユニット１と一体で形状が平坦な形状に復帰する。なお、スピーカ１０は、図５に示すように、奥行方向に延びる幅方向の一端を軸にして、幅方向に沿って巻かれて収納されることも可能である。また、スピーカ１０は、静電スピーカユニット１が内側になるように巻かれてもよいし、吸音スポンジ２が内側になるように巻かれてもよい。
【００３４】
本実施形態に係るスピーカ１０は、吸音スポンジ２が静電スピーカユニット１の平坦な形状を保持するため、吊り下げ設置に限らず、例えば壁設置及び床への載置、等の多様な設置が可能である。また、利用者は、スピーカ１０が人手で曲げることが可能なため、スピーカ１０を例えば折りたたんで収納したり、巻き取るように収納したりすることもできる。以上のように、本実施形態に係るスピーカ１０は、吸音スポンジ２が静電スピーカユニット１と一体に弾性変形するため、設置の自由度がより高く、かつ収納がより簡単である。
【００３５】
なお、吸音スポンジ２は、厚みが１５ｍｍであったが、１５ｍｍより薄く又は厚くてもよい。例えば、吸音スポンジ２は、より厚いポリウレタンフォームを材料として用いれば、吸音率が高まる。また、吸音スポンジ２は、より薄いポリウレタンフォームを材料として用いれば、スピーカ１０全体をより薄型かつより軽量にできる。
【００３６】
また、上述の例では、吸音スポンジ２は、ポリウレタンフォームからなっていたが、弾性変形するものであれば何でもよい。例えば、スピーカ１０は、ポリウレタンフォームより吸音性が劣る弾性材料（例えばゴム）で静電スピーカユニット１の形状を保持しても構わない。
【００３７】
ただし、スピーカ１０は、静電スピーカユニット１の平坦な形状を保持するための材料として、吸音性を備えることが望ましい。吸音性を備える材料として、厚手の不織布（工業繊維又は動物の毛からなる）、及び発泡プラスチックを用いることができる。発泡プラスチックは、吸音率が高く、加工性がよく、例えば、厚みが均一な板形状に加工でき、かつ低コストである。さらに、発泡プラスチックは、形状復帰しやすく、かつ変形に必要な外力が適度である弾性を有する点においても優れる。発泡プラスチックとして、ポリスチレンフォーム、ポリエチレンフォーム、ポリプロピレンフォーム、及びＥＶＡ（；Ｅｔｈｙｌｅｎｅ  Ｖｉｎｙｌ  Ａｃｅｔａｔｅ）フォームを用いることができる。
【００３８】
次に、スピーカ１０の変形例に係るスピーカ１０Ａについて図６を用いて説明する。図６は、スピーカ１０Ａの側面の斜投影図である。スピーカ１０Ａは、第１接着部５０を備える点においてスピーカ１０と相違する。すなわち、スピーカ１０Ａは、収納時の形状を維持するために第１接着部５０を備えているものである。
【００３９】
第１接着部５０は、所謂、面ファスナであり、フックファスナ５１及びループファスナ５２からなる。フックファスナ５１は、各繊維がフック状に起毛されてなる。ループファスナ５２は、各繊維がループ状に起毛されてなる。フックファスナ５１は、スピーカ１０Ａの上面のうち、幅方向と反対方向の端部で奥行方向に沿って配設されている。ループファスナ５２は、スピーカ１０Ａの下面に配設されている。フックファスナ５１は、ループファスナ５２に人手で接着及び脱着が可能である。ただし、フックファスナ５１及びループファスナ５２は、配置が互いに逆であっても構わないし、フックファスナ５１は、スピーカ１０Ａの上面のうち、いずれかの外周辺に沿って配設されていればよい。
【００４０】
利用者は、スピーカ１０Ａを巻いた状態でフックファスナ５１をループファスナ５２に接着することにより、スピーカ１０Ａを巻いた状態で収納しやすくなる。
【００４１】
なお、スピーカ１０Ａは、上面又は下面のうち、いずれかの外周辺に沿った粘着部を備えるだけの態様であっても構わない。この態様においても、利用者は、スピーカ１０Ａを巻き取った際に、粘着部でスピーカ１０Ａの形状を維持することができる。
【００４２】
次に、実施形態２に係るスピーカ装置１００Ｂについて図７乃至図９を用いて説明する。図７は、スピーカ装置１００Ｂの外観斜視図である。図８は、スピーカ１０ＢのＢ−Ｂ断面図である。図９は、スピーカ装置１００Ｂの構成の一部を示すブロック図である。
【００４３】
スピーカ装置１００Ｂは、スピーカ１０Ｂに軸部４０が備えられ、軸部４０の中空部４３に実施形態１に係るアンプ２０の機能の一部を実現する回路モジュール４３Ａが内蔵されている点においてスピーカ装置１００と相違する。すなわち、スピーカ１０Ｂは、アンプ２０Ｂから音声信号の増幅用電力のみの供給を受ける。スピーカ装置１００と重複する構成の説明は省略する。
【００４４】
軸部４０は、図７に示すように、スピーカ１０Ｂの幅方向の一端で奥行方向に沿って延在している。すなわち、軸部４０は、吸音スポンジ２の上面の外周辺の一辺に沿って配置されている。軸部４０は、図７及び図８に示すように、基部４１、挟持部４２、及び中空部４３からなる。
【００４５】
挟持部４２は、図８に示すように、側面視ではコの字形状であり、静電スピーカユニット１及び吸音スポンジ２を積層方向に挟んで保持している。ただし、軸部４０は、挟持部４２を備えず、基部４１が吸音スポンジ２に接着される態様であっても構わない。
【００４６】
基部４１は、例えばスピーカ１０の奥行方向に長い直方体形状である。基部４１は、図７及び図８に示すように、カバー３から外部に露出している。基部４１は、内部に中空部４３を有している。中空部４３には、回路モジュール４３Ａが配置されている。回路モジュール４３Ａは、例えば基部４１の長手方向の一端を貫通する電源供給線２００Ｂを介して電源（音声信号の増幅用電源）が供給されている。
【００４７】
当該回路モジュール４３Ａは、図９に示すように、入力部２１、変換部２２、増幅部２３、及び電源供給部２４Ｂ１の各機能を実現している。電源供給部２４Ｂ１は、例えば電池であり、入力部２１、及び変換部２２の動作に必要な電力を供給する。
【００４８】
増幅部２３は、電源供給線２００Ｂを介してアンプ２０Ｂの電源供給部２４Ｂ２から音声信号の増幅用電力の供給を受ける。
【００４９】
実施形態２に係るスピーカ１０Ｂは、軸部４０が巻き取りの中心となるため、軸部４０を中心として巻き取られやすくなる。なお、入力部２１は、外部装置と回路モジュール４３Ａとの配線の簡素化のために、無線通信でコンテンツデータを受信することが望ましい。ただし、入力部２１は、有線でコンテンツデータが入力される態様であっても構わない。有線でコンテンツデータが入力部２１に入力される場合、例えばＵＳＢ（Ｕｎｉｖｅｒｓａｌ  Ｓｅｒｉａｌ  Ｂｕｓ）レセプタクルが軸部４０の基部４１に配設される。
【００５０】
なお、回路モジュール４３Ａは、アンプ２０Ｂの電源供給部２４Ｂ２の機能を実現しても構わない。これにより、スピーカ装置１００Ｂの電気系の構成が全て中空部４３内部に実装されて、配線がより簡素化される。
【００５１】
次に、スピーカ１０Ｂの変形例１に係るスピーカ１０Ｃについて図１０（Ａ）及び図１０（Ｂ）を用いて説明する。図１０（Ａ）は、スピーカ１０Ｃの外観斜視図であり、図１０（Ｂ）は、スピーカ１０Ｃの設置例を示す図である。なお、同図中において、電源供給線２００Ｂの図示は省略している。スピーカ１０Ｃは、軸部４０Ｃに第２接着部４１Ｃを備えることで、設置性をさらに高めたものである。
【００５２】
スピーカ１０Ｃは、図１０（Ａ）に示すように、軸部４０Ｃの基部４１の上面（スピーカ１０Ｃの厚み方向にある面）に第２接着部４１Ｃを有している点においてスピーカ１０Ｂと相違する。第２接着部４１Ｃは、例えば糊及び接着テープ、等の接着材料からなる。スピーカ１０Ｃは、図１０（Ｂ）に示すように、例えば第２接着部４１Ｃが椅子９０１の背もたれに接着されることにより、椅子９０１に設置される。ただし、第２接着部４１Ｃは、基部４１の上面に限らず、いずれかの面にあればよい。また、第２接着部４１Ｃは、カバー３の下面（放音方向と反対方向にある面）に配置されても構わない。無論、スピーカ１０Ｃは、第２接着部４１Ｃが、壁、天井、家具、寝具、及び被服、等に接着されることで設置されても構わない。
【００５３】
次に、スピーカ１０Ｂの変形例２に係るスピーカ１０Ｄについて図１１を用いて説明する。図１１は、スピーカ１０Ｄの側面断面図である。スピーカ１０Ｄは、吸音スポンジ２に加えて、さらに遮音材６を備えて、下面から音がさらに漏れにくくしたものである。
【００５４】
遮音材６は、弾性変形する材料（例えばゴム）からなり、薄型の平板形状である。遮音材６は、主面の形状が吸音スポンジ２の上面形状と略同じである。遮音材６は、図１１に示すように、吸音スポンジ２の下面に当接するように配置される。軸部４０Ｄの挟持部４２Ｄは、遮音材６、吸音スポンジ２、及び静電スピーカユニット１の積層体を挟んで保持している。スピーカ１０Ｄは、スピーカ１０Ｂと同様に、基部４１Ｄの中空部４３Ｄに回路モジュール４３Ａを内蔵している。
【００５５】
以上のように、スピーカ１０Ｄは、遮音材６を吸音スポンジ２からさらに外側（下面側）に配置することにより、下面から音が漏れることをさらに防ぐことができる。
【００５６】
次に、実施形態３に係るスピーカ１０Ｅについて図１２（Ａ）を用いて説明する。図１２（Ａ）は、スピーカ１０Ｅの上面図である。スピーカ１０Ｅは、金属板７１及び金属板７２で静電スピーカユニット１の平坦な形状を保持するものである。
【００５７】
より具体的には、金属板７１及び金属板７２は、それぞれ薄型の板形状である。金属板７１及び金属板７２は、それぞれ図１２（Ａ）に示すように、スピーカ１０Ｅを平面視して、静電スピーカユニット１の幅方向に伸びる辺に沿って、静電スピーカユニット１の縁に配置されている。金属板７１及び金属板７２は、主面が静電スピーカユニット１の上面の縁に接着されている。ただし、金属板７１及び金属板７２は、主面が静電スピーカユニット１の下面の縁に接着されていてもよい。
【００５８】
軸部４０Ｅは、挟持部で静電スピーカユニット１、金属板７１及び金属板７２を一体に挟持している。
【００５９】
金属板７１及び金属板７２は、それぞれ外力がかかっていない状態で平坦な形状である。金属板７１及び金属板７２は、それぞれ外力がかかると弾性変形する。例えば、金属板７１及び金属板７２は、それぞれ外力によって軸部４０Ｅに巻き付けられる。そして、金属板７１及び金属板７２は、それぞれ外力がなくなると、平坦な形状に復帰する。
【００６０】
スピーカ１０Ｅは、このような構成でも、金属板７１及び金属板７２が静電スピーカユニット１と一体に弾性変形するため、設置の自由度がより高く、かつ収納がより簡単である。
【００６１】
金属板７１及び金属板７２は、以下のように構成してもよい。図１２（Ｂ）に示すスピーカ１０Ｅの変形例に係るスピーカ１０Ｆにおいて、金属板７１Ａは、アコーディオン構造のように、厚み方向に突状湾曲する部分と、厚み方向と反対方向に突状湾曲する部分とが交互に並んだ形状からなる。
【００６２】
利用者は、金属板７１Ａ及び金属板７２Ａ（不図示）がこのように構成されることで、アコーディオンのように、静電スピーカユニット１を軸部４０Ｅに側に折りたたむことができる。そして、スピーカ１０Ｆは、外力がなくなると、金属板７１Ａ及び金属板７２Ａが幅方向に伸長して元の平坦な形状に復帰する。
【符号の説明】
【００６３】
１…静電スピーカユニット
１Ａ，１Ｂ…電極
１Ｃ…振動板
２…吸音スポンジ
３…カバー
６…遮音材
１０，１０Ａ〜１０Ｆ…スピーカ
２０，２０Ｂ…アンプ
２１…入力部
２２…変換部
２３…増幅部
２４，２４Ｂ１，２４Ｂ２…電源供給部
４０，４０Ｄ，４０Ｅ…軸部
４１，４１Ｄ…基部
４１Ｂ…第１接着部
４２，４２Ｄ…挟持部
４３，４３Ｄ…中空部
４３Ａ…回路モジュール
５０…第１接着部
５１…面ファスナ
５２…面ファスナ
７１，７１Ａ，７２，７２Ａ…金属板
１００，１００Ｂ…スピーカ装置
２００…スピーカケーブル
２００Ｂ…電源供給線
９０１…椅子
【図１】
2015198383.tif 000003
【図２】
2015198383.tif 000004
【図３】
2015198383.tif 000005
【図４】
2015198383.tif 000006
【図５】
2015198383.tif 000007
【図６】
2015198383.tif 000008
【図７】
2015198383.tif 000009
【図８】
2015198383.tif 000010
【図９】
2015198383.tif 000011
【図１０】
2015198383.tif 000012
【図１１】
2015198383.tif 000013
【図１２】
2015198383.tif 000014